(57)【要約】【課題】鮮鋭度の測定機能を備えて、設置先において簡単に、鮮鋭度に関する定量的な管理（ＱＣ）を行うことを可能としたプリンタを提供すること。【解決手段】記録材料上に２次元画像を記録可能に構成されたプリンタであって、少なくとも鮮鋭度測定用のテストパターンを発生させるパターン発生手段と、出力される記録画像を照明する照明光源と光センサからなる濃度測定手段と、この測定手段による測定結果の出力手段とを備えることを特徴とするプリンタ。ＣＴＦ測定等の方式により、定量的な鮮鋭度の把握が可能になる。【選択図】図１
2004237533.tif 000002
【特許請求の範囲】
【請求項１】
記録手段によって、記録材料上に２次元画像を記録可能に構成されたプリンタであって、
少なくとも鮮鋭度測定用のテストパターンを発生させるパターン発生手段と、
出力される記録画像を照明する照明光源と光センサからなる濃度測定手段と、この測定手段による測定結果の出力手段とを備え、
前記パターン発生手段により発生させた鮮鋭度測定用のテストパターンを前記記録材料上に記録し、前記記録材料と濃度測定手段とを相対的に１次元方向に移動することにより鮮鋭度の測定を行い、測定結果を前記出力手段に出力することを特徴とするプリンタ。
【請求項２】
前記濃度測定手段は、前記記録手段による主走査方向もしくはこれと直交する副走査方向の少なくとも一方に、前記記録材料に記録された鮮鋭度測定用のテストパターンを測定するものであることを特徴とする請求項１に記載のプリンタ。
【請求項３】
前記濃度測定手段として、透過型の記録材料用、反射型の記録材料用の両方を選択使用可能に備えたことを特徴とする請求項１または２に記載のプリンタ。
【請求項４】
前記各手段に加えて、測定結果の管理機能を備えたことを特徴とする請求項１〜３のいずれか１項に記載のプリンタ。
【請求項５】
前記鮮鋭度測定用のテストパターンとして、ＣＴＦ測定用パターンを用いることを特徴とする請求項１〜４のいずれか１項に記載のプリンタ。
【発明の詳細な説明】
【０００１】
【発明の属する技術分野】
本発明は、感熱記録方式やフォトサーモグラフィーなどの各種のプリンタの技術分野に関し、より詳細には、鮮鋭度の測定機能を備えて、設置先において鮮鋭度に関する定量的な管理（画像の品質管理、以下、ＱＣという）を行うことを可能とするプリンタに関する。
【０００２】
【従来の技術】
従来から、医療分野においては、Ｘ線などを利用した種々の診断用画像取得装置が用いられており、Ｘ線撮影装置や、ＣＲ（コンピューテッド・ラジオグラフィー）装置，ＣＴ（コンピュータ断層撮影）装置，ＭＲＩ（磁気共鳴イメージング）装置などが実用に供されるに至っている。
【０００３】
これらの装置により取得された医用画像情報は、プリンタにより、フィルムなどの記録材料上にハードコピーとして再生されて、専門家による医療診断に利用される。
このような画像による医療診断は、通常、モノクロ（黒白）画像を用い、画像の濃度差によって微細な構造を見ることで行われる。このため、医療用の診断画像には、鮮鋭度が十分高いことが要求される。
【０００４】
そこで、特にプリンタの出力する医療用の診断画像の鮮鋭度について、他の特性以上に注意を払って、常に一定の品質を維持できるように、プリンタＱＣを行うことが必要となる。
【０００５】
従来、上述の画像の鮮鋭度については、出力された画像について、例えば、ミクロデンシトメータを用いて測定する方法が採られているが、これには、測定装置が大きく、大きな設置場所を必要とする、あるいは、測定操作が煩雑であり、設置先（病院等）での測定には適していないなどの問題があった。
【０００６】
また、画像出力機からの画像の画質については、種々の評価方法が提案されている。例えば、特許文献１には、被評価画像の濃度情報，明度情報または色度情報のうち少なくとも一つを情報を用いて空間周波数成分を算出する手段を用い、その算出結果に視覚系の空間周波数特性に応じた補正を行うようにした画質評価方法が開示されている。
【０００７】
【特許文献１】
特開平１１−３９４８６号公報
【０００８】
【発明が解決しようとする課題】
すなわち、画像の鮮鋭度については、本来、ＣＴＦ（Ｃｏｎｔｒａｓｔ  Ｔｒａｎｓｆｅｒ  Ｆｕｎｃｔｉｏｎ  ）測定等により定量的に測定することが好ましいが、上述のような理由で、実際には、目視による検査で代行している設置先が多い。
【０００９】
本発明は、上記事情に鑑みてなされたもので、その目的とするところは、従来の技術における問題を解消し、鮮鋭度の測定機能を備えて、設置先において簡単に、鮮鋭度に関する定量的な管理（ＱＣ）を行うことを可能としたプリンタを提供することにある。
【００１０】
【課題を解決するための手段】
上記目的を達成するため、本発明に係るプリンタは、記録手段によって、記録材料上に２次元画像を記録可能に構成されたプリンタであって、少なくとも鮮鋭度測定用のテストパターンを発生させるパターン発生手段と、出力される記録画像を照明する照明光源と光センサからなる濃度測定手段と、この測定手段による測定結果の出力手段とを備え、前記パターン発生手段により発生させた鮮鋭度測定用のテストパターンを前記記録材料上に記録し、前記記録材料と濃度測定手段とを相対的に１次元方向に移動することにより鮮鋭度の測定を行い、測定結果を前記出力手段に出力することを特徴とする。
【００１１】
ここで、前記濃度測定手段は、前記記録手段による主走査方向もしくはこれと直交する副走査方向の少なくとも一方に、前記記録材料に記録された鮮鋭度測定用のテストパターンを測定するものであることが好ましい。
【００１２】
また、本発明に係るプリンタにおいては、前記濃度測定手段として、透過型の記録材料用、反射型の記録材料用の両方を選択使用可能に備えることが好ましい。
【００１３】
また、本発明に係るプリンタにおいては、前記各手段に加えて、前記測定手段による測定結果の管理機能を備えることが好ましい。さらに、前記鮮鋭度測定用のテストパターンとして、ＣＴＦ測定用パターンを用いることが好ましいが、必ずしもこれに限定されるべきものではない。
【００１４】
【発明の実施の形態】
以下、添付の図面に基づいて、本発明の実施の形態を詳細に説明する。
【００１５】
図１は、本発明の一実施形態に係る鮮鋭度の測定機能を備えた感熱記録方式のプリンタの構成を示す概略側面図である。
図１に示したプリンタ１０は、例えば半切サイズなどの所定サイズの光透過性の感熱記録フィルム（以下、単にフィルムという）Ｆ等の感熱記録材料に感熱画像記録を行うもので、装填部１２と、搬送部１６と、サーマルヘッド１８によってフィルムＦに感熱画像記録を行う記録部２０と、記録済みのフィルムを受けるトレイ２２と、鮮鋭度測定機能部２４とを有して構成される。
【００１６】
フィルムＦは、透明なＰＥＴ（ポリエチレンテレフタレート）等を支持体として、その一面に感熱記録層が形成されているものであって、例えば、１００枚程度の所定単位の積層体とされて、専用のマガジン２６に収容される。
このマガジン２６は、蓋体２８を有しており、プリンタ１０に形成されている挿入口から装置内部に挿入され、ガイドやストッパ等を用いる公知の手段によって、装填部１２の所定位置に装填される。
【００１７】
搬送部１６は、装填部１２に装填されたマガジン２６からフィルムＦを取り出して、記録部２０へ搬送する機能を有するものであり、フィルムＦを吸着する吸盤３０を用いる枚葉機構，搬送ローラ対３２，搬送ガイド３４，クリーニングローラ対３６および図示されていない開閉機構等を有する。
【００１８】
上述のように構成される、本実施形態に係るプリンタ１０の基本動作の概要をまず説明する。
プリンタ１０において，記録開始の指示が出されると、上述の開閉機構がマガジン２６の蓋体２８を開放して、吸盤３０がフィルムＦを１枚吸着して、マガジン２６から取り出し、搬送ローラ対３２に供給する。搬送ローラ対３２に供給されたフィルムＦは、搬送ガイド３４に案内されつつクリーニングローラ対３６に搬送され、図中上方のクリーニングローラによって記録面に付着した塵や埃等を除去されつつ、記録部２０に送られる。
【００１９】
記録部２０は、サーマルヘッド１８，プラテンローラ３８，搬送ガイド４０および排出ローラ対４４ａ，４４ｂ，駆動制御部４６，サーマルヘッド１８の冷却ファン（図示は省略している）等を有して構成されている。
【００２０】
サーマルヘッド１８は、蓄熱層（グレーズ層），発熱抵抗体と電極とからなる一方向（主走査方向、図１中の紙面に垂直な方向）に配列された発熱素子，保護層等からなるグレーズを有するサーマルヘッド本体と、このサーマルヘッド本体に固定されたヒートシンクとを有する公知のサーマルヘッドである。サーマルヘッド１８の各発熱素子は、駆動制御部４６によって、記録画像に応じて、例えばパルス変調されて駆動される。
【００２１】
なお、ここでは、記録画像（またはその一部）として、前述のパターン発生手段により発生させた鮮鋭度測定用のテストパターン等を、所定の記録方式に従って記録する（詳細は、後述する）。
プラテンローラ３８は、フィルムＦを所定位置に保持しつつ所定の速度で回転し、サーマルヘッド１８（そのグレーズ）と共にフィルムＦを挟持して、主走査方向に直交する副走査方向に所定の記録速度で搬送する。
【００２２】
クリーニングローラ対３６から搬送されたフィルムＦは、プラテンローラ３８とサーマルヘッド１８（そのグレーズ）とに挟持された状態で、副走査方向に搬送され、サーマルヘッド１８（発熱素子列）により走査される。この搬送と並行して、駆動制御部４６は、サーマルヘッド１８の各発熱素子を画像データに応じて駆動することにより、発熱抵抗体を加熱し、フィルムＦがそれに応じて加熱され、発色して、画像が記録される。
画像を記録されたフィルムＦは、排出ローラ対４４ａ，４４ｂによって搬送され、ハードコピーとしてトレイ２２に排出される。
【００２３】
鮮鋭度測定機能部２４は、プリンタ１０において、フィルムＦに記録された鮮鋭度測定用のテストパターンを用いて、鮮鋭度の管理（チェック）を行うものであり、鮮鋭度制御部４８と、鮮鋭度測定手段５０とを有して構成される。
【００２４】
鮮鋭度制御部４８は、フィルムＦへの、前述のパターン発生手段により発生させた鮮鋭度測定用のテストパターンの記録・測定および測定結果に応じた各種処理の制御を行うものであり、これらの動作を行う際に、必要に応じて駆動制御部４６に指示を出して、サーマルヘッド１８によって上記テストパターンを記録させたり、また、記録したテストパターンの測定結果を受け取り、それに応じた処理を行う部位である。
【００２５】
鮮鋭度測定手段５０は、鮮鋭度に関するＱＣを行う際に、排出ローラ対４４ａと４４ｂとの間において、搬送されるフィルムＦに記録された上記テストパターンの測定を行うものであり、照明光源５０ａと光センサ５０ｂとから構成されている。
なお、ここでは、光透過性のフィルムＦを測定対象としているので、鮮鋭度測定手段５０は、透過光測定用の構成としているが、測定対象が光透過性でない場合には、いわゆる反射光測定用の構成とすることはいうまでもない。
【００２６】
また、ここでの測定に際しては、フィルムＦの主走査方向および副走査方向のいずれか一方もしくは両方についての鮮鋭度測定を行う場合があり得る。
まず、主走査方向についての測定を行う場合であるが、この場合には、フィルムＦを所定位置に一旦停止させることが好ましい。また、副走査方向についての測定を行う場合には、フィルムＦを停止させる子となしに、測定を行うことが可能である。両測定における具体的な操作（動作）については、後述する
【００２７】
図２は、本発明の他の実施形態に係る鮮鋭度の測定機能を備えたフォトサーモグラフィープリンタの構成を示す概略側面図である。
図２に示したプリンタ６０は、光透過性のフィルム状の感光性熱現像記録材料（以下、記録材料Ａという）に画像記録を行う、フォトサーモグラフィー方式のプリンタであり、基本的に、供給部６２と、露光部６４と、熱現像部６６と、記録済みのフィルムを受けるトレイ６８と、鮮鋭度測定機能部７０とを有して構成される。なお、ここで、感光性熱現像記録材料とは、露光によって潜像を記録され、加熱現像によって発色して潜像を可視化する記録材料である。
【００２８】
ここで、上記記録材料Ａは、先の実施形態に示したフィルムアと同様に、通常、１００枚等の積層体のままマガジン７２に収納されて、プリンタ６０に装填される。
供給部６２は、記録材料Ａを露光部６４に供給する部位で、マガジン７２の装填部７４と、吸盤７６および供給ローラ対７８を用いる枚葉手段と、搬送ローラ対８０および８２とを有して構成される。
供給部６２においては、吸盤７６が１枚の記録材料Ａを吸着しマガジン７２から取り出して供給ローラ対７８に供給し、供給ローラ対７８が搬送ローラ対８０および８２に記録材料Ａを供給する。搬送ローラ対８０および８２は、記録材料Ａを露光部６４に搬送する。
【００２９】
露光部６４は、光ビーム走査露光によって記録材料Ａを像様に露光する部位で、記録材料Ａを露光する露光ユニット８４と副走査搬送手段８６とを有して構成される。
露光ユニット８４は公知の光ビーム走査装置で、図３に示したように、光ビームＬの光源８８と、光偏向器であるポリゴンミラー９０と、ｆθレンズ９２と、ミラー９４と、駆動制御部９１等を有して構成される。
露光ユニット８４においては、駆動制御部９１が光源８８を記録画像に応じて例えば、パルス変調して駆動する。このようにして、光源８８から出射された記録画像に応じて変調された光ビームＬを、ポリゴンミラー９０によって主走査方向（図２において、紙面と垂直の方向）に偏向して、ｆθレンズ９２およびミラー９４によって、所定の記録位置に入射・結像する。
【００３０】
一方、副走査搬送手段８６は、記録位置（走査線）を挟んで配置される一対の搬送ローラ対９６および９８によって、記録材料Ａを記録位置に保持しつつ、前記主走査方向と直交する方向（矢印ｙ方向）に搬送する。
ここで、前述のように、光ビームＬは、主走査方向に偏向されているので、記録材料Ａは記録画像に応じて変調された光ビームによって２次元的に走査露光され、潜像が記録（形成）される。
【００３１】
露光部６４で潜像が記録された記録材料Ａは、次いで、搬送ローラ対９９等によって搬送されて、熱現像部６６に搬送される。
熱現像部６６は、記録材料Ａを加熱現像して、潜像を可視像化する部位で、加熱ドラム１００と、エンドレスベルト１０２と、剥離爪１０４とを有して構成される。
【００３２】
加熱ドラム１００は、加熱源を内蔵するドラムで、その表面が記録材料Ａの熱現像温度に応じた温度に加熱されており、また、軸１００ａを中心に回転して、エンドレスベルト１０２と共に記録材料Ａを挟持搬送する。
エンドレスベルト１０２は、ローラ１０６ａ〜１０６ｄの４つのローラに張架されて、加熱ドラム１００に巻き掛けられるようにして押圧されている。
剥離爪１０４は、記録材料Ａを加熱ドラム１００から剥離するものであり、加熱ドラム１００に軽く当接・離脱するように構成されている。
【００３３】
搬送ローラ対９９によって熱現像部１８に搬入された記録材料Ａは、加熱ドラム１００とエンドレスベルト１０２との間に搬入され、加熱ドラム１００の回転に応じて搬送されつつ熱現像されて、露光によって記録された潜像が可視像となる。記録材料Ａの先端が剥離爪１０４の近傍に搬送されると、剥離爪１０４が軽く加熱ドラム１００に当接して、加熱ドラム１００と記録材料Ａとの間に侵入し、記録材料Ａを加熱ドラム１００から剥離する。
熱現像を終了して、剥離爪１０４によって加熱ドラム１００から剥離された記録材料Ａは、排出ローラ対１１２（１１２ａ，１１２ｂ）によってトレイ６８に排出される。
【００３４】
鮮鋭度測定機能部７０は、プリンタ６０において、記録材料Ａに記録された鮮鋭度測定用のテストパターンを用いて、鮮鋭度の管理（チェック）を行うものであり、先に説明したプリンタ１０と同様に、鮮鋭度制御部１１４と、鮮鋭度測定手段１１６とを有して構成される。
これらは、基本的に、前述のプリンタ１０の鮮鋭度測定機能部２４と同様のものであり、鮮鋭度制御部１１４は、記録材料Ａへの、前述のパターン発生手段により発生させた鮮鋭度測定用のテストパターンの記録・測定および測定結果に応じた各種処理の制御を行うものであり、これらの動作を行う際に、必要に応じて露光部６４（露光ユニット８４）に指示を出して、上記テストパターンを記録させたり、また、記録したテストパターンの測定結果を受け取り、それに応じた処理を行う部位である。
【００３５】
以下、プリンタ１０および６０における鮮鋭度に関するＱＣ、すなわち、鮮鋭度測定機能部２４および同７０の作用について説明する。
なお、両者は、基本的に同様の作用を有するものであるので、以下の説明では、プリンタ１０を代表例として説明し、プリンタ６０については、異なる点のみを説明する。
【００３６】
プリンタ１０において、鮮鋭度に関するＱＣ実行の指示が出されると、通常の画像記録時と同様に、フィルムＦが記録部２０に供給され、鮮鋭度測定機能部２４による指示の下、駆動制御部４６が鮮鋭度測定用のテストパターンに応じてサーマルヘッド１８を駆動して、フィルムＦにテストパターンを記録し、トレイ２２に向けて搬送する。
【００３７】
他方、プリンタ６０においても、同じく通常の画像記録と同様に記録材料Ａが露光部６４に供給され、鮮鋭度測定機能部７０の鮮鋭度制御部１１４による指示の下、駆動制御部９１が同テストパターンに応じて光源８８を変調駆動して、記録材料Ａにテストパターンの潜像を記録し、熱現像部６６で熱現像して、排出ローラ対１１２ａ，１１２ｂによってトレイ６８に向けて搬送する。
【００３８】
ここで用いるテストパターンには特に限定はなく、鮮鋭度測定に用いられる各種のパターンが利用可能である。ここでは、好ましい一例として、図４に示したような、主走査方向のＣＴＦ測定用パターン５２ａと、副走査方項のＣＴＦ測定用パターン５２ｂとを、テストパターンとして記録する。なお、このパターン以外の部分は黒ベタ５４とするのがよい。
【００３９】
プラテンローラ３８と排出ローラ対４４ａ，４４ｂが、上述のテストパターンを記録したフィルムＦをトレイ２２に排出する経路の途中には、前述の鮮鋭度測定手段５０が配置されている。ここでは、まず、鮮鋭度測定手段５０により、副走査方向の鮮鋭度測定を行う場合を説明する。
この場合、鮮鋭度測定手段５０は、フィルムＦ上の上記テストパターンが記録されている部分を、上記排出ローラ対４４ａ，４４ｂの間の所定位置を通過させつつ、測定を行う。
【００４０】
すなわち、図５に示したように、テストパターン（ＴＰ）が記録されたフィルムＦを、鮮鋭度測定手段５０の照明光源５０ａと光センサ５０ｂとの間を通過させつつ、照明光源５０ａ（ここでは、好ましい一例としてレーザダイオード（ＬＤ）を用いている）と光センサ５０ｂ（同、フォトトランジスタ）を用いて、ＬＤの発光強度を調整して光量を適正化した状態で、測定を行う。
【００４１】
一例として、測定対象とした副走査方向のＣＴＦ測定用パターン５２ｂ（図６（ａ）参照）が、光センサ５０ｂ（フォトトランジスタ）によって読み取られた結果が、例えば、図６（ｂ）に示すような形になったとする。
鮮鋭度制御部４８は、図６（ｂ）の濃度波形と、高濃度のベタ部５４，低濃度のベタ部５６の濃度から、図６（ｃ）に示すようなＣＴＦカーブを算出し、これを図示されていない出力部に出力する。なお、この出力部はプリンタ本体に設けてもよく、また、プリンタから離れた場所（オペレータに近い場所等）に設けてもよい。
【００４２】
上記実施形態によれば、フィルムＦに鮮鋭度測定用テストパターンを自動的に記録し、また、記録したテストパターンを自動的に測定して、その結果を出力してオペレータに通知するようにしたので、プリンタの性能が変化して、出力されるプリント（フィルムＦ上の画像）の品質が低下した場合には、直ちに検出されるようになり、特に医療画像において問題となる鮮鋭度の劣化が早期に発見できるようになる。
【００４３】
なお、上記実施形態の動作説明においては、図１に示したプリンタ１０を例としたが、図２に示したプリンタ６０における動作も全く同様であり、効果としても同様のものが得られる。
【００４４】
また、上述の例では、本実施形態に係るプリンタにおいて、副走査方向の鮮鋭度の測定（および、この結果に基づくＱＣ）を行う場合を説明したが、本発明はこれに限定されるものではなく、主走査方向の鮮鋭度の測定を行うことももちろん可能である。
【００４５】
主走査方向の鮮鋭度の測定を行う場合には、図４に示した副走査方項のＣＴＦ測定用パターン５２ｂを、テストパターンとして記録し、これを測定する。
ここで、通常のプリンタでは、フィルムＦを主走査方向に搬送することはないので、主走査方向の鮮鋭度の測定を行う場合には、フィルムＦを一旦停止させて、測定手段を主走査方向に移動させて、測定を行う。
【００４６】
この場合の測定手段は、主走査方向の測定のための専用手段であってもよく、副走査方向の測定のための手段と兼用されるものであってもよい。また、プリンタ１０が、シェーディング補正用の濃度測定手段を有する場合には、これを主走査方向の測定のための測定手段として利用してもよい。
さらに、主走査方向の鮮鋭度測定を行うための測定手段においては、ノイズによる悪影響を除くために、測定光のビームスポット形状を、副走査方向に長い偏平形状とするのが好ましい。
【００４７】
上記測定の操作に関しては、プリンタ６０の場合にも全く同様に扱うことが可能である。
また、上記説明から明らかなように、フィルムＦ（または記録材料Ａ）には、最低限、実際に測定対象とするテストパターンのみを記録すれば足りる。つまり、主走査方向の鮮鋭度測定のみを行う場合には、そのためのテストパターンのみを記録すればよく、副走査方向の鮮鋭度測定のみを行う場合には、そのためのテストパターンのみを記録すればよい。
【００４８】
なお、上記各実施形態はいずれも本発明の一例を示したものであり、本発明はこれらに限定されるべきものではなく、本発明の要旨を逸脱しない範囲内において適宜の変更または改良を行ってもよいことはいうまでもない。
【００４９】
例えば、鮮鋭度測定用テストパターンを発生させるパターン発生手段としては、ディスプレイ装置のような１回のキャプチャで済むものでもよく、また、複数回のキャプチャで取り込むようなパターンを用いてもよい。なお、後者の場合には、フィルムＦ（または、記録材料Ａ）の間欠搬送が必要になる。
【００５０】
また、上述のようにして得られた鮮鋭度の測定結果は、これを時系列に蓄積していって、プリンタの性能変化の監視に用いることが好ましい。これには、例えば、主／副走査方向のナイキスト周波数でのＣＴＦ値を用いることが好ましい。このためには、前述の鮮鋭度制御部４８内に、必要な量のメモリ機能を搭載しておく必要がある。
【００５１】
図７には、主／副走査方向のナイキスト周波数でのＣＴＦ値の経時的な変化を表にしたものの一部を例示している。このような表（あるいはこれをグラフ化したデータ：図８参照）を、プリンタのユーザ・インタフェイスを介してディスプレイ・モニタに出力することで、当該プリンタの出力画像の品質を容易に把握することが可能となる。
【００５２】
上記実施形態に示したプリンタにおいては、いずれも、鮮鋭度測定機能部をプリンタ本体に内蔵している構成例を示したが、本発明はこれに限定されるわけではない。例えば、前述のように構成される鮮鋭度測定手段５０をプリンタ本体にオンラインで外部接続して、測定結果を鮮鋭度制御部４８に供給するようにすることも可能である。
【００５３】
さらに、上記実施形態においては、本発明を、サーマルヘッドを用いる感熱記録装置、および、フォトサーモグラフィーに利用した例を挙げたが、本発明はこれらに限らず、他の各種のプリンタにも適用可能である。中でも、本発明は、適正な診断を行うために鮮鋭度が重要視される医療用途のプリンタに用いるのが好適である。
【００５４】
またさらに、上述の鮮鋭度の測定結果は、これを、ネットワーク経由でプリンタの設置場所とは異なる場所に設置されている適宜のデータベース（ＤＢ）に送って蓄積し、監視（ＱＣ）センター，ワークステーション等の、当該ネットワークに接続されている他の装置からのアクセスに備えるようにすることも好ましい（図９参照）。
【００５５】
【発明の効果】
以上、詳細に説明したように、本発明によれば、鮮鋭度の測定機能を備えて、設置先において簡単に、鮮鋭度に関する定量的な管理（ＱＣ）を行うことを可能としたプリンタを実現できるという顕著な効果を奏するものである。
【図面の簡単な説明】
【図１】本発明の一実施形態に係る鮮鋭度の測定機能を備えた感熱記録方式のプリンタの構成を示す概略側面図である。
【図２】本発明の他の実施形態に係る鮮鋭度の測定機能を備えたフォトサーモグラフィープリンタの構成を示す概略側面図である。
【図３】図２に示したプリンタの露光部の概念図である。
【図４】鮮鋭度測定に用いられる各種のパターンを示す図である。
【図５】一実施形態に係る鮮鋭度測定部の概念図である。
【図６】（ａ）はＣＴＦ測定用テストパターンを示す図、（ｂ）はこのテストパターンを読み取ったデータを示す図、（ｃ）は（ｂ）のフーリエ変換結果を示す図である。
【図７】主／副走査方向のナイキスト周波数でのＣＴＦ値の経時的な変化をまとめた表を示す図である。
【図８】図７に示した内容をグラフ化したものである。
【図９】実施形態に係るプリンタを含むシステムの概略構成図である。
【符号の説明】
１０，６０  プリンタ
１２，７４  装填部
１６，６２  供給部
１８  サーマルヘッド
２０  記録部
２２，６８  トレイ
２４，７０  鮮鋭度測定機能部
３２，８０，８２，９６，９８，９９  搬送ローラ対
３４  搬送ガイド
３６  クリーニングローラ対
３８  プラテンローラ
４４ａ，４４ｂ，１１２ａ，１１２ｂ  排出ローラ対
４８，１１４  鮮鋭度制御部
５０，１１６  鮮鋭度測定部
５２ａ，５２ｂ  鮮鋭度測定用テストパターン
６４  露光部
６６  熱現像部
８４  露光ユニット
８６  副走査搬送手段
１００  加熱ドラム
１０２  エンドレスベルト
１０４  剥離爪
【図１】
2004237533.tif 000003
【図２】
2004237533.tif 000004
【図３】
2004237533.tif 000005
【図４】
2004237533.tif 000006
【図５】
2004237533.tif 000007
【図６】
2004237533.tif 000008
【図７】
2004237533.tif 000009
【図８】
2004237533.tif 000010
【図９】
2004237533.tif 000011